【手続補正書】
【提出日】平成23年3月29日(2011.3.29)
【手続補正１】
【補正対象書類名】特許請求の範囲
【補正対象項目名】全文
【補正方法】変更
【補正の内容】
【特許請求の範囲】
【請求項１】
フレーム毎に入力される入力画像の階調特性を階調補正テーブルを用いて変換し、当該変換後の画像を出力画像として順次出力する画像処理装置であって、
前記階調補正テーブルを保持する保持手段と、
前記入力画像が表現可能な輝度値の範囲を複数のレベルに分割した場合に、同じレベルに属する輝度値を有する前記入力画像中の画素の数をレベル毎に集計することで、レベル毎の画素数を示すヒストグラムデータを作成する作成手段と、
第１フレームの入力画像について前記作成手段が作成したヒストグラムデータと、前記第１フレームの入力画像の直前に入力された第２フレームの入力画像について前記作成手段が作成したヒストグラムデータと、を用いて、同じレベルに属する画素数の差をレベル毎に求める計算手段と、
前記計算手段が求めたレベル毎の差に基づいて、前記保持手段が保持する階調補正テーブルを更新するか否かを判断する判断手段と、
前記判断手段が更新すると判断した場合には、前記保持手段が保持する階調補正テーブルを更新する更新手段と、
前記第１フレームの入力画像の階調特性を、前記保持手段が保持する階調補正テーブルを用いて変換した結果を、前記第１フレームの出力画像として出力する手段と
を備えることを特徴とする画像処理装置。
【請求項２】
前記計算手段は、
レベル毎の差の総和を求める手段と、
レベル毎に求めた差のうち、閾値より大きい差の数をカウントする手段と
を備え、
前記判断手段は、前記総和が閾値よりも小さい、又は前記差の数が閾値よりも小さい場合には、前記保持手段が保持する階調補正テーブルを更新しないと判断し、前記総和が閾値以上、及び前記差の数が閾値以上である場合には、前記保持手段が保持する階調補正テーブルを更新すると判断する
ことを特徴とする請求項１に記載の画像処理装置。
【請求項３】
前記計算手段は、
前記第１フレームの入力画像について前記作成手段が作成したヒストグラムデータを用いて、最高輝度値が属するレベルと、最低輝度値が属するレベルと、を特定する手段と、
前記第１フレームの入力画像について前記作成手段が作成したヒストグラムデータにおいて最高輝度値が属するレベルから最低輝度値が属するレベルまでの各レベルと、前記第２フレームの入力画像について前記作成手段が作成したヒストグラムデータにおいて当該各レベルに対応する各レベルと、で、対応するレベル同士で前記差を求める手段と、
求めたレベル毎の差の総和を求める手段と、
求めたレベル毎の差のうち、閾値より大きい差の数をカウントする手段とを備え、
前記判断手段は、前記総和が閾値よりも小さい、又は前記差の数が閾値よりも小さい場合には、前記保持手段が保持する階調補正テーブルを更新しないと判断し、前記総和が閾値以上、及び前記差の数が閾値以上である場合には、前記保持手段が保持する階調補正テーブルを更新すると判断する
ことを特徴とする請求項１に記載の画像処理装置。
【請求項４】
前記更新手段は、
レベルを示す数と当該レベルにおける画素数とに比例する式に基づいて計算した値を当該レベルに対する値として求める処理を各レベルについて行うことで、各レベルについて求めた値を保持する暫定階調補正テーブルを作成し、
前記第２フレームの画像に対して適用された階調補正テーブルと、前記暫定階調補正テーブルと、を予め定めた割合で合成した結果で、前記保持手段が保持する階調補正テーブルを更新することを特徴とする請求項１乃至３の何れか１項に記載の画像処理装置。
【請求項５】
前記判断手段は、前記第１フレームの入力画像について前記作成手段が作成したヒストグラムデータにおいて最高輝度値が属するレベルと、前記第２フレームの入力画像について前記作成手段が作成したヒストグラムデータにおいて最高輝度値が属するレベルと、の差が閾値以上であれば、前記保持手段が保持する階調補正テーブルを更新すると判断することを特徴とする請求項２に記載の画像処理装置。
【請求項６】
前記判断手段は、前記第１フレームの入力画像について前記作成手段が作成したヒストグラムデータにおいて最低輝度値が属するレベルと、前記第２フレームの入力画像について前記作成手段が作成したヒストグラムデータにおいて最低輝度値が属するレベルと、の差が閾値以上であれば、前記保持手段が保持する階調補正テーブルを更新すると判断することを特徴とする請求項４又は５に記載の画像処理装置。
【請求項７】
階調補正テーブルを保持する保持手段を備え、フレーム毎に入力される入力画像の階調特性を前記階調補正テーブルを用いて変換し、当該変換後の画像を出力画像として順次出力する画像処理装置が行う画像処理方法であって、
前記画像処理装置の作成手段が、前記入力画像が表現可能な輝度値の範囲を複数のレベルに分割した場合に、同じレベルに属する輝度値を有する前記入力画像中の画素の数をレベル毎に集計することで、レベル毎の画素数を示すヒストグラムデータを作成する作成工程と、
前記画像処理装置の計算手段が、第１フレームの入力画像について前記作成工程で作成したヒストグラムデータと、前記第１フレームの入力画像の直前に入力された第２フレームの入力画像について前記作成工程で作成したヒストグラムデータと、を用いて、同じレベルに属する画素数の差をレベル毎に求める計算工程と、
前記画像処理装置の判断手段が、前記計算工程で求めたレベル毎の差に基づいて、前記保持手段が保持する階調補正テーブルを更新するか否かを判断する判断工程と、
前記画像処理装置の更新手段が、前記判断工程で更新すると判断した場合には、前記保持手段が保持する階調補正テーブルを更新する更新工程と、
前記画像処理装置の出力手段が、前記第１フレームの入力画像の階調特性を、前記保持手段が保持する階調補正テーブルを用いて変換した結果を、前記第１フレームの出力画像として出力する工程と
を備えることを特徴とする画像処理方法。
【請求項８】
コンピュータを、請求項１乃至６の何れか１項に記載の画像処理装置の各手段として機能させるためのコンピュータプログラム。
【請求項９】
請求項８に記載のコンピュータプログラムを格納した、コンピュータ読み取り可能な記憶媒体。
【手続補正２】
【補正対象書類名】明細書
【補正対象項目名】００１２
【補正方法】変更
【補正の内容】
【００１２】
即ち、フレーム毎に入力される入力画像の階調特性を階調補正テーブルを用いて変換し、当該変換後の画像を出力画像として順次出力する画像処理装置であって、
前記階調補正テーブルを保持する保持手段と、
前記入力画像が表現可能な輝度値の範囲を複数のレベルに分割した場合に、同じレベルに属する輝度値を有する前記入力画像中の画素の数をレベル毎に集計することで、レベル毎の画素数を示すヒストグラムデータを作成する作成手段と、
第１フレームの入力画像について前記作成手段が作成したヒストグラムデータと、前記第１フレームの入力画像の直前に入力された第２フレームの入力画像について前記作成手段が作成したヒストグラムデータと、を用いて、同じレベルに属する画素数の差をレベル毎に求める計算手段と、
前記計算手段が求めたレベル毎の差に基づいて、前記保持手段が保持する階調補正テーブルを更新するか否かを判断する判断手段と、
前記判断手段が更新すると判断した場合には、前記保持手段が保持する階調補正テーブルを更新する更新手段と、
前記第１フレームの入力画像の階調特性を、前記保持手段が保持する階調補正テーブルを用いて変換した結果を、前記第１フレームの出力画像として出力する手段と
を備えることを特徴とする。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】